(57)【要約】【課題】設置面積が狭く、しかも製作コストも比較的安い水泳練習装置を提供すること。水泳の練習によって身体の下側が損傷するおそれのない水泳練習装置を提供すること。【解決手段】支持台２から立設された支柱４と、該支柱４の上端部に回転可能に備えられた滑車９と、前記滑車９に巻き掛けられたロープ５と、前記ロープ５の両端にそれぞれ取り付けられた吊り輪１０と、該支持台４上に配設された弾性部材３と、を有する水泳練習装置。【選択図】図１
2014124233.tif 000002
【特許請求の範囲】
【請求項１】
支持台から立設された支柱と、該支柱の上端部に回転可能に取り付けられた滑車と、該滑車に巻回されたロープと、該ロープの両端にそれぞれ取り付けられた吊り輪と、該支持台上に配置された弾性部材と、を有する水泳練習装置。
【請求項２】
前記ロープの両端部にそれぞれ磁石が取り付けられている請求項１に記載の水泳練習装置。
【請求項３】
前記ロープの両端部に、ロープ長さを調節可能なロープ長さ調節部材が取り付けられ、このロープ長さ調節部材に前記磁石が固定されている請求項２に記載の水泳練習装置。
【請求項４】
前記支柱は、下側支柱とこの下側支柱に連結される上側支柱とから構成され、該下側支柱と該上側支柱との間に高さ調節金具が配設されている請求項１〜３のいずれかに記載の水泳練習装置。
【請求項５】
前記支柱は、左右一対が前記支持台上に立設され、該左右一対の支柱は連結バーにより連結されている請求項１〜４のいずれかに記載の水泳練習装置。
【請求項６】
前記連結バーは、前記支柱に取り付けられる一対の筒部と該筒部間に連結された横バーとから構成され、該横バーに楕円形のループ部が形成されている請求項５に記載の水泳練習装置。
【請求項７】
前記上側支柱の上部に筒状の補強部材が被せられている請求項１〜６のいずれかに記載の水泳練習装置。
【発明の詳細な説明】
【技術分野】
【０００１】
本発明は、水泳練習装置に関し、特に、吊り輪を利用した上肢の運動と、弾性部材を利用した下肢の運動とを組み合わせた水泳練習装置に関する。
【背景技術】
【０００２】
水泳練習は、一般に水中で行われる。しかし、従来の水泳練習は、スイミングプールまで使用者が出向くことを必要とする。
【０００３】
そこで、スイミングプールを必要とすることなく、陸上で水泳が練習できる装置として、実願昭６２−１５６２９０号のマイクロフィルム（実開平１−６２８７０号）（特許文献１）には、傾斜して配置された人の身長以上の長さを有する基台と、その基台上にスライド可能に搭載されたスライド台と、基台の上部に固定された２本のロープと、このロープの下端部に取り付けられた取っ手部とを備えた水泳練習装置が開示されている。
【０００４】
しかし、この装置では、人の身長以上の長さを有する基台が必要であり、そのため、運動機器の設置面積として広い面積が必要となる。また、下肢をスライド台上に乗せているため、下肢の運動が十分に行えない。また、身体がスライド台上に載っているため、長時間練習していると身体の下側が摺れるなどの欠点がある。しかも、装置の構成が複雑となり製作コストが高くなる。
【０００５】
特開２００７−４４４５２号公報（特許文献２）には、上肢および下肢を共に運動できるようにした運動機器が開示されている。しかし、この運動機器においても、身長より長い適当長さの本体が必要であり、それゆえ、運動機器の設置面積が広くなるという欠点がある。また、身体が基台上に載った状態で運動するため、長時間の運動により身体の下側が損傷する場合がある。しかも、原動機を使用して上肢を運動させているため、装置の構成が複雑となり製作コストが高くなる。
【０００６】
実開昭５８−３９２６９号公報（特許文献３）および実開昭５８−３９２７０号公報（特許文献４）には、身長よりも長い伏せ板上に身体を載せて上肢および下肢を運動できるようにした水泳練習器が開示されているが、この練習器においても長時間の運動によって身体の下側が損傷するおそれがあり、また水泳練習器の設置面積が広く、しかも製作コストも高くなる。
【０００７】
特表２００８−５２１４８０号公報（特許文献５）には、立ち姿勢で運動できるようにしたトレーニング器具が開示されている。このトレーニング器具は、設置面積が狭く、また立ち姿勢で運動できるために身体が摺れるということもない。しかし、振動手段によってロープに振動を伝え、このロープを持つ使用者の上肢を振動させるようにしているため、関節痛には効果があるもの、水泳の運動になるものではない。また、このトレーニング器具は、フレームまたは天井から吊り下げることを前提とするため、設置場所が制限され、かつ、設置も難しく、また、一度設置すると移動が困難である。
【先行技術文献】
【特許文献】
【０００８】
【特許文献１】実開平１−６２８７０号
【特許文献２】特開２００７−４４４５２号公報
【特許文献３】実開昭５８−３９２６９号公報
【特許文献４】実開昭５８−３９２７０号公報
【特許文献５】特表２００８−５２１４８０号公報
【発明の概要】
【発明が解決しようとする課題】
【０００９】
本発明は上記課題を解決するためになされたもので、設置面積が狭く、しかも製作コストも安価である水泳練習装置を提供することを目的とする。
【００１０】
本発明の他の目的は、水泳の練習によって身体の下側が摺れることもない水泳練習装置を提供することにある。
【００１１】
本発明のさらに他の目的は、上肢および下肢の訓練を同時に行うことができる水泳練習装置を提供することにある。
【課題を解決するための手段】
【００１２】
本発明の水泳練習装置は、以下を特徴とする。
（項目１）
支持台から立設された支柱と、該支柱の上端部に回転可能に取り付けられた滑車と、該滑車に巻回されたロープと、該ロープの両端にそれぞれ取り付けられた吊り輪と、該支持台上に配置された弾性部材と、を有する水泳練習装置。
（項目２）
前記ロープの両端部にそれぞれ磁石が取り付けられている項目１に記載の水泳練習装置。
（項目３）
前記ロープの両端部に、ロープ長さを調節可能なロープ長さ調節部材が取り付けられ、このロープ長さ調節部材に前記磁石が固定されている項目２に記載の水泳練習装置。
（項目４）
前記支柱は、下側支柱とこの下側支柱に連結される上側支柱とから構成され、該下側支柱と該上側支柱との間に高さ調節金具が配設されている項目１〜３のいずれかに記載の水泳練習装置。
（項目５）
前記支柱は、左右一対が前記支持台上に立設され、該左右一対の支柱は連結バーにより連結されている項目１〜４のいずれかに記載の水泳練習装置。
（項目６）
前記連結バーは、前記支柱に取り付けられる一対の筒部と該筒部間に連結された横バーとから構成され、該横バーに楕円形のループ部が形成されている項目５に記載の水泳練習装置。
（項目７）
前記上側支柱の上部に筒状の補強部材が被せられている項目１〜６のいずれかに記載の水泳練習装置。
【発明の効果】
【００１３】
本発明によれば、滑車とロープを利用することによって、使用者の上肢の運度ができ、同時に弾性部材上で使用者は足の運動、体の回転などを行うことができる。このように、使用者の上肢および下肢を共に動かした使用者の自発的な運動となり、効果的な水泳の練習となる。
【００１４】
また、本発明の水泳練習装置は、駆動装置を有しない軽量で小型の装置であるので、その装置を屋内または屋外に設置しても設置面積が小さくてすみ、しかも無動力で水泳の練習ができる。
【００１５】
また、本発明の水泳練習装置は、弾性部材を利用した下肢用の装置と吊り輪を利用した上肢用の装置と上を組み合わせているため、コンパクトな構成でありながら上肢および下肢の運動が同時にできる。そのため、設置スペースが制限される自宅や、病院、リハビリ施設で使用することができる。
【図面の簡単な説明】
【００１６】
【図１】本発明の一実施形態による水泳練習装置の斜視図である。
【図２】図１に示した水泳練習装置の断面図である。
【図３】図１に示した水泳練習装置の上端部の斜視図である。
【図４】図１に示した水泳練習装置で使用するロープと吊り輪の斜視図である。
【図５】図１に示した水泳練習装置で使用する下側連結バーの斜視図である。
【図６】図１に示した水泳練習装置で使用する上側連結バーの斜視図である。
【図７】連結部材部分の説明図である。
【図８】弾性部材の斜視図である。
【図９】高さ調節金具の斜視図である。
【図１０】吊り輪部分の斜視図である。
【図１１】支柱の先端部分の説明図である。
【図１２】支持台を構成する枠体の斜視図である。
【図１３】支持台を構成する枠体の取り付け状態を示す斜視図である。
【図１４】支持台を構成する箱体の斜視図である。
【発明を実施するための形態】
【００１７】
本発明の水泳練習装置の実施の形態の一例について、以下に図面を参照しながら説明する。
【００１８】
図１及び図２に示すように、本発明の水泳練習装置１は、床上に設置される支持台２と、該支持台２上に配置される弾性部材３と、該支持台２の背後側の端部において支持台２から立設された２本の支柱４、４と、該支柱４の上端部に連結された滑車９と、該滑車９から吊り下げられたロープ５と、該ロープの下端に固定された吊り輪１０とを備えている。
【００１９】
支持台２の大きさは、例えば、幅６０ｃｍ程度、前後長さ６０〜８０ｃｍ、高さ５ｃｍ程度とすることができる。このように小寸法に支持台２を構成することにより、水泳練習装置１の搬送および保管などが容易となる。この支持台２には、補助の支持台３９を固着具などで連結するようにしてもよい。補助の支持台３９の寸法は、例えば幅６０ｃｍ程度、前後長さ３０〜４０ｃｍ、高さ５ｃｍ程度に構成することができ、補助の支持台３９は設置場所で支持台２に連結することができる。支持台２（第１の支持台）と補助の支持台３９（第２の支持台）とから本発明の支持台が構成され得る。
【００２０】
支持台２は、図１２〜１４に示すように、基台４０と、この基台４０上に被せられる箱体４１とから構成される。基台４０は、枠体４２と補強部材４３とを有し、水泳練習装置１を室内に設置するときは、基台４０が壁と床の角部に配置され、枠体４２がビスなどで壁の横板４４などに固着することができる。そのことによって、水泳練習装置１の転倒を確実に防止することができる。
【００２１】
箱体４１は下方が開口する箱状に形成され、この箱体４１を基台４０に被せネジ留めなどで固着される。箱体４１にはボルトなどの固着具を通す孔２８が形成されている。
【００２２】
上記支柱４は、下側支柱４ａと上側支柱４ｂとを連結することにより構成されている。該下側支柱４ａの下端部にフランジ６が形成され、このフランジ６を支持台２上に設置してボルトナット等で固着することにより下側支柱４ａは支持台２に固定されている。その際、図２に示すように、支持台２の下面に補強板８等を配設して固定強度を高めるようにしてもよい。また、図８に示すように、支持台２の後ろ側側面に開口部１９を形成して、この開口部１９をボルトなどの固着具を留めるための孔としてもよい。
【００２３】
支柱４は鋼管材あるいは形鋼材等で形成することができる。支柱４の強度を上げるために支柱４の内部の一部に心棒を挿入してもよい。
【００２４】
また、図１１に示すように、上側支柱４ｂの上部に筒状の補強部材１１を被せてもよい。この補強部材１１を支柱４に被せて二重にすることで支柱４の上端が急に折れることを防止できる。
【００２５】
支柱４は左右一対支持台２上に立設されている。左右一対の支柱４、４間において、下側支柱４ａの上端近傍部は下側連結バー１４ａにより連結され、上側支柱４の下端近傍部は上側連結バー１４ｂにより連結されている。
【００２６】
図５に示すように、上側連結バー１４ｂは一対の筒部１６、１６と該筒部１６，１６間に連結された横バー１７とから構成され、横バー１７に楕円形のループ部１５が形成されている。このループ部１５上に、カバンなど様々な物を置くことができる。上側連結バー１４ｂの筒部１６は、下側支柱４aの上端に形成された小径の嵌合突部４１に外嵌することによって上側連結バー１４ｂを支柱４に取り付けることができる。
【００２７】
図６に示すように、下側連結バー１４aは一対の筒部１６と該筒部１６，１６間に連結された横バー１７とから構成されている。その筒部１６にはフック１８が設けられている。下側連結バー１４aの筒部１６は、下側支柱４aの上端に形成された小径の嵌合突部４１に外嵌することによって下側連結バー１４aを支柱４に取り付けることができる。
【００２８】
ここで、図９に示すように、筒状の高さ調節金具２４（高さが５ｃｍ〜１５ｃｍ程度、特に１０ｃｍ程度のもの）を下側支柱４aの上端部に外嵌させることによって支柱４全体の高さを調節してもよい。
【００２９】
この高さ調節金具２４を使用するときは、下側支柱４ａの上端部に形成した小径の嵌合突部４１に該高さ調節金具２４を外嵌し、さらにその上に上側支柱４ｂの下端部を嵌合突部４１に外嵌することによって、上側支柱４ｂの下端は高さ調節金具２４の上端に乗るので、この金具２４によって支柱４の高さ調節が行える。高さ調節金具２４は複数個を下側支柱４の嵌合突部４１に外嵌させてもよい。
【００３０】
また、上記の下側連結バー１４ａと上側連結バー１４ｂを高さ調節金具として兼用してもよい。
【００３１】
支柱４の高さは、屋外用として装置を使用する場合は2.35メートル程度がよく、屋内用として装置を使用する場合は2.15メートル程度とするのがよい。使用者の伸長などに応じて適宜変更することができる。
【００３２】
また、支柱４の高さを調整するには、従来から公知の方法を採用することができる。例えば、上側支柱４ｂの下端部を下側支柱４ａの嵌合突部４１に外嵌し、上側支柱４ｂに設けたセットボルトなどで固着することにより下側支柱４ａの上に上側支柱４ｂを連結してもよい。上側支柱４ｂの下端部に、軸方向に間隔をあけて複数の固着孔を設け、選択した固着孔にセットボルトを挿着することで支柱４の高さを調節することができる。
【００３３】
上記弾性部材３は、図８に示すように、上板２７と下板２８と、該上板２７と下板との間に配設された複数のスプリングとを有する。下板２８は上記支持台２上に固定される。使用者が上板２７上に乗ると、スプリングの作用によって左右および上下方向に動くことになる。弾性部材３としてはトランポリンなどで構成してもよい。
【００３４】
弾性部材３上で使用者が運動を行うと、上板２７が弾性的に反発するので、使用者は転倒しないように身体のバランスをとることになる。同様にして種々の運動が可能になる。
【００３５】
上記２本の支柱４、４はその上端部で近接するように湾曲され、両支柱４、４間に滑車９が架設されている。そして、この滑車９にロープ５が掛けられており、ロープ５の下端部に吊り輪１０が取り付けられている。
【００３６】
すなわち、図３に示すように、支柱４の上部に滑車ホルダー１２が取り付けられ、この滑車ホルダー１２に滑車９が揺動可能に支持されている。
【００３７】
ロープ５は滑車９に巻回されているので、ロープ５の一方の端部を下方に引っ張ると滑車９が回転してロープ５の他方の端部が上方へ移動する。
【００３８】
ロープ５の両方の端部にはそれぞれ吊り輪１０が備えられている。そのロープ５の吊り下げ長さは、弾性部材３上に使用者が立って手を上に伸ばし、吊り輪１０に手が届く高さとする。好ましくは、両吊り輪１０に幼児がぶら下がれないよう、地上（弾性部材の表面）より９０ｃｍ以上高い位置とするのがよい。
【００３９】
吊り輪１０の位置は、高さが調整可能となるように吊り輪１０の近傍位置にロープ長さ調節部材３０が設けられている。
【００４０】
図１０に示すように、ロープ長さ調節部材３０にはロープ５を巻くことができる環状溝３１が形成され、この環状溝３１内にロープ５を巻き取り、ネジ２９などでロープ５が動かないよう固定することにより、ロープ５の長さを調節することができる。それによって、身長の異なる複数の使用者が装置を使用でき、また様々な練習内容にも対応することができる。
【００４１】
上記調節部材３０の側面に磁石３２が固定され、ロープ５を使用しなときには両磁石３２，３２が接合するために、一方の吊り輪１０が上がることを防止できる。
【００４２】
吊り輪１０は、棒鋼材の曲げ加工や合成樹脂材の成形、あるいは木材の加工等によって形成することができる。吊り輪１０は、使用者が握り易いようリング状の他、三角形状、楕円環形状等に形成することができる。吊り輪１０の外径は、典型的には９０〜１００ｃｍ程度である。
【００４３】
水泳練習装置を屋外で使用するときは、支持台２を設置箇所に固定する。水泳練習装置を屋内で使用するときは、支持台２を床上に設置すると共に、壁面に固定してもよい。その場合に、水泳練習装置１を安定させるために、支持台２の下面に固定した補助具（補強板）８を延設して壁面に固定してもよい。取り付けの際には、支持台２の後ろ側に形成した開口部１９を通してボルトなどの固着具で壁面に留めることができる。
【００４４】
また、図２および図７に示すように、各支柱４を連結部材２０を介して壁面に固定するようにしてもよい。
【００４５】
連結部材２０は、図７に示すように、第１の連結部材２１と第２の連結部材２２とから構成されている。第１の連結部材２１は上記連結バー１４ａ又は１４ｂを挿入するためのリング部３４と、このリング部３４から延出された第１の連結部３５とを有する。第２の連結部材２２は、壁面などに固定される板状部３６とこの板状部３６から延出された第２の連結部３７とを有する。この第２の連結部３７に軸方向に長い長孔３８が形成されている。
【００４６】
第２の連結部材２２の板状部３６を壁面にビスなどの固着具によって固定し、第２連結部３７に第１連結部材２１の第１連結部３５を挿入して、長孔３８に通したビス、ボルトなどの固着具によって第１の連結部材２１と第２の連結部材２２とを長さ調整可能に連結することができる。
【００４７】
上記構成を有する水泳練習装置１は、次のように使用することができる。
【００４８】
弾性部材３上に使用者が乗り、ロープ５下端に連結された吊り輪１０を両手でもって上肢の運動をすると同時に、必要に応じて、弾性部材３の変形性や反発力を利用して下肢の運動を行う。
【００４９】
よって、水泳のように吊り輪１０を上下移動させ、または吊り輪１０支えにして弾性部材上で前後左右に移動、回転するなど動きのある運動を行うことができる。
【産業上の利用可能性】
【００５０】
本発明の水泳練習装置は、水泳の練習の他、体操などの補助具としても使用することができる。
【符号の説明】
【００５１】
１    水泳練習装置
２    支持台
３    弾性部材
４    支柱
５    ロープ
９    滑車
１０  吊り輪
３０  ロープ長さ調節部材
【図１】
2014124233.tif 000003
【図２】
2014124233.tif 000004
【図３】
2014124233.tif 000005
【図４】
2014124233.tif 000006
【図５】
2014124233.tif 000007
【図６】
2014124233.tif 000008
【図７】
2014124233.tif 000009
【図８】
2014124233.tif 000010
【図９】
2014124233.tif 000011
【図１０】
2014124233.tif 000012
【図１１】
2014124233.tif 000013
【図１２】
2014124233.tif 000014
【図１３】
2014124233.tif 000015
【図１４】
2014124233.tif 000016